(57)【要約】【課題】予告映像を見ながら録画したい番組を決定する作業を簡単にする。【解決手段】番組の予告映像を保持する予告映像提供装置から、推奨予告映像を取得する推奨予告映像取得部と、取得した推奨予告映像を、対応する番組の放送局と放送時間帯とに関連付けて保存する推奨予告映像保存部に保存させる指示を行う推奨予告映像保存指示部と、推奨予告映像に対応する番組の予約録画操作を検出する番組予約録画操作検出部と、推奨予告映像の再生中に番組予約録画操作検出部が番組の予約録画操作を検出すると、当該番組の予約録画の設定を指示する番組録画予約指示部とを有する録画予約支援装置。【選択図】図２
2012080258.tif 000002
【特許請求の範囲】
【請求項１】
番組の予告映像を保持する予告映像提供装置から、推奨予告映像を取得する推奨予告映像取得部と、
取得した推奨予告映像を、対応する番組の放送局と放送時間帯とに関連付けて推奨予告映像保存部に保存させる指示を行う推奨予告映像保存指示部と、
前記推奨予告映像に対応する番組の予約録画操作を検出する番組予約録画操作検出部と、
前記推奨予告映像の再生中に前記番組予約録画操作検出部が番組の予約録画操作を検出すると、当該番組の予約録画の設定を指示する番組録画予約指示部と
を有することを特徴とする録画予約支援装置。
【請求項２】
前記推奨予告映像保存部に保存されている推奨予告映像が、該推奨予告映像に対応する番組の放送局及び放送時間帯を介して、電子番組表と関連付けされていることを特徴とする請求項１に記載の録画予約支援装置。
【請求項３】
前記推奨予告映像保存部に未視聴の前記推奨予告映像が保存されている旨を報知する指示を行う推奨予告映像報知指示部を有することを特徴とする請求項１又は２に記載の録画予約支援装置。
【請求項４】
前記推奨予告映像に対応する番組の放送時間が経過したか否かを判定する放送時間経過判定部を有し、放送時間が経過した前記推奨予告映像を消去することを特徴とする請求項１から３までのいずれか１項に記載の録画予約支援装置。
【請求項５】
前記推奨予告映像に基づいて予約録画された録画済みの番組を、前記推奨予告映像と関連付ける推奨予告映像−録画番組関連付け部を有することを特徴とする請求項１から４までのいずれか１項に記載の録画予約支援装置。
【請求項６】
前記推奨予告映像が複数ある場合には、当該推奨予告映像を連続的に表示させる推奨予行映像表示指示部を有することを特徴とする請求項１から５までのいずれか１項に記載の録画予約支援装置。
【請求項７】
請求項１から６までのいずれか１項に記載の録画予約支援装置と、前記推奨予告映像保存部と、を備えた録画再生装置。
【請求項８】
請求項７に記載の録画再生装置と、
前記予告映像提供装置と
を備えた録画予約支援システム。
【請求項９】
請求項１から６までのいずれか１項に記載の録画予約支援装置と、前記推奨予告映像保存部と、を有し、番組の録画機能又は録画済み番組の再生機能の少なくともいずれかを備えたテレビジョン受信装置。
【請求項１０】
番組の予告映像を保持する予告映像提供装置から、推奨予告映像を取得する推奨予告映像取得ステップと、
取得した推奨予告映像を、対応する番組の放送局と放送時間帯とに関連付けて推奨予告映像保存部に保存させる指示をする推奨予告映像保存指示ステップと、
前記推奨予告映像に対応する番組の予約録画操作を検出する番組予約録画操作検出ステップと、
前記推奨予告映像の再生中に前記番組予約録画操作検出ステップにおいて番組の予約録画操作が検出されると、当該番組の予約録画の設定を指示する番組録画予約指示ステップと
を有することを特徴とする録画予約支援方法。
【請求項１１】
請求項１０に記載の操作切り替え方法をコンピュータに実行させるためのプログラム。
【請求項１２】
請求項１１に記載のプログラムを記録するコンピュータ読み取り可能な記録媒体。
【発明の詳細な説明】
【技術分野】
【０００１】
本発明は、録画予約支援システム、録画予約支援装置及びそれを備えた録画装置、テレビジョン受信装置等に関する。
【背景技術】
【０００２】
録画予約を支援する技術としては、放送番組に関する電子番組表情報（ＥＰＧ：Ｅｌｅｃｔｒｏｎｉｃ  Ｐｒｏｇｒａｍ  Ｇｕｉｄｅ）を取得し、その番組表情報に基づき、所望の番組を選択して視聴予約や録画予約をする技術が良く知られている。
【０００３】
また、下記特許文献１に記載の技術は、電子番組表の中にその番組の予告映像へのリンクを張り、予告映像から番組の内容をより詳しく把握できるようにするものである。
【０００４】
下記特許文献２に記載の技術は、ＥＰＧ情報に含まれているアクセス情報（アドレス情報）に基づき、ネットワークを介してコンテンツを格納するコンテンツ格納装置と接続することによって、そのコンテンツ格納装置に格納されている新番組又は特別番組のプロモーション用の映像コンテンツを取得し、取得した映像コンテンツを表示部に表示させることによって、新番組又は特別番組の番組内容を、より詳細に判りやすく提示するものである。
【先行技術文献】
【特許文献】
【０００５】
【特許文献１】特開２００３−１６９３１２号公報
【特許文献２】特開２００９−５５１０１号公報
【発明の概要】
【発明が解決しようとする課題】
【０００６】
上記特許文献１に記載の技術では、ユーザの操作によって電子番組表に関連付けられている予告映像を表示するため、次の番組に進めるためには、ユーザが何らかの操作を行う必要がある。例えば、ユーザは、別の作業をしながら、テレビのＣＭを見るような感覚で受動的に録画番組を探したいと考える場合があり、このような場合には適していないという問題があった。
【０００７】
また、上記特許文献２に記載の技術では、ユーザの操作によって電子番組表に関連付けられている予告映像を表示させるように構成されているため、ユーザが何らかの操作を行わないと次の予告映像を見る動作など先に進めることができず、特許文献１と同様に、別の作業をしながら、テレビのCMを見るような感覚で受動的に録画番組を探したいケースには適していないという問題があった。
【０００８】
本発明は、予告映像を見ながら録画したい番組を決定する作業を簡単にすることを目的とする。
【課題を解決するための手段】
【０００９】
本発明の一観点によれば、番組の予告映像を保持する予告映像提供装置から、推奨予告映像を取得する推奨予告映像取得部と、取得した推奨予告映像を、対応する番組の放送局と放送時間帯とに関連付けて保存する推奨予告映像保存部に保存させる指示を行う推奨予告映像保存指示部と、前記推奨予告映像に対応する番組の予約録画操作を検出する番組予約録画操作検出部と、前記推奨予告映像の再生中に前記番組予約録画操作検出部が番組の予約録画操作を検出すると、当該番組の予約録画の設定を指示する番組録画予約指示部と、を有することを特徴とする録画予約支援装置が提供される。
【００１０】
前記推奨予告映像保存部に保存されている推奨予告映像が、該推奨予告映像に対応する番組の放送局及び放送時間帯を介して、電子番組表と関連付けするようにすると良い。推奨予告映像の放送局と放送時間帯に基づいて特定される番組に関して、電子番組表から番組の録画予約をすることができる。従って、推奨予告映像を見ながら、番組録画予約操作を行うだけで、電子番組表から予約録画をする場合と同じように、対応する番組の予約録画を行うことができる。
【００１１】
前記推奨予告映像保存部に未視聴の前記推奨予告映像が保存されている旨を報知する指示を行う推奨予告映像報知指示部を有することが好ましい。未視聴の推奨予告映像の存在を簡単に知ることができるため、報知部を見て新たな未視聴の推奨予告映像があれば、それを視聴するための操作を行うきっかけとすることができる。
【００１２】
前記推奨予告映像に対応する番組の放送時間が経過したか否かを判定する放送時間経過判定部を有し、放送時間が経過した前記推奨予告映像を消去することが好ましい。既に、対応する番組の放送が終了してしまった場合には、推奨予告番組を視聴しても、対応する番組の予約録画ができないためである。尚、推奨予告映像をみながら録画予約が行われた場合には、その推奨予告映像は、消去しない。
【００１３】
すなわち、前記推奨予告映像に基づいて予約録画された録画済みの番組を、前記推奨予告映像と関連付ける推奨予告映像−録画番組関連付け部を有することが好ましい。推奨予告映像は、対応する番組が予約録画される前は、推奨予告番組は電子番組表に関連付けされているが、録画予約後には、推奨予告映像は、録画済みの番組と関連付けて保存しておく。これにより、推奨予告映像を、録画済み番組の予告編又はインデックスのように利用することができる。例えば、推奨予告映像を見ながら、対応する録画済み番組の再生や、消去等の操作を行うことができる。
【００１４】
前記推奨予告映像が複数ある場合には、当該推奨予告映像を連続的に表示させる推奨予告映像表示指示部を有することが好ましい。複数の推奨予告映像を連続して見ながら、予約録画したい番組があれば、そのための操作を行えば良い。
【００１５】
本発明は、上記に記載の録画予約支援装置と、前記推奨予告映像保存部と、を備えた録画再生装置であっても良く、当該録画再生装置と、前記予告映像提供装置と、を備えた録画予約支援システムであっても良い。
【００１６】
また、本発明は、前記録画予約支援装置と、前記推奨予告映像保存部と、少なくとも録画機能又は再生機能のいずれかを備えたテレビジョン受信装置であっても良い。
【００１７】
本発明の他の観点によれば、番組の予告映像を保持する予告映像提供装置から、推奨予告映像を取得する推奨予告映像取得ステップと、取得した推奨予告映像を、対応する番組の放送局と放送時間帯とに関連付けて保存する指示をする推奨予告映像保存指示ステップと、前記推奨予告映像に対応する番組の予約録画操作を検出する番組予約録画操作検出ステップと、前記推奨予告映像の再生中に前記番組予約録画操作検出ステップが番組の予約録画操作を検出すると、当該番組の予約録画の設定を指示する番組録画予約指示ステップと、を有することを特徴とする録画予約支援方法が提供される。本発明は上記に記載の操作切り替え方法をコンピュータに実行させるためのプログラムであっても良く、当該プログラムを記録するコンピュータ読み取り可能な記録媒体であっても良い。
【発明の効果】
【００１８】
本発明によれば、推奨予告映像がある場合に、それを見ながら録画予約を行うことができる。推奨予告番組に対して録画予約操作を行えば良いため、簡単な操作で録画予約を行うことができる。
【００１９】
また、録画されている番組の予告映像が対応付けされて保存されているため、録画予約時と同様に予告映像を見ながら受身の状態で再生する番組を探したり、消去したい番組を探したりすることができる。
【図面の簡単な説明】
【００２０】
【図１】本発明の実施の形態による録画予約支援装置を備えた録画機能付きテレビジョン受信装置の一構成例を示す機能ブロック図である。
【図２】本実施の形態による録画予約支援装置の一構成例を示す機能ブロック図である。
【図３】本実施の形態による予告映像提供装置の一構成例を示す機能ブロック図である。
【図４】本実施の形態による録画予約支援装置の処理の流れを示すフローチャート図である。
【図５】キーワードに基づく予告映像検索結果のデータ構成例を示す図である。
【図６】電子番組表の一例を示す概略図であり、図５に対応する図である。
【図７】録画番組と、それと対応する予告映像との関係を示図であり、併せて視聴済みであるか否かの情報を付した図である。
【図８】録画機能付きテレビジョン受信装置における表示例を示す図である。
【発明を実施するための形態】
【００２１】
本明細書において、番組の予告映像とは、例えば、その番組の予告編のようなものであり、或いは、番組の一部を表示したり、サムネイルを表示したりすることで、ユーザにその番組の概要を知らせるものである。推奨予告映像とは、予告映像のうち、キーワードなどによりユーザに推奨したい予告映像を指す。
【００２２】
以下に、図面を参照しながら、本発明の実施の形態による録画予約支援技術について、録画機能付きテレビジョン受信装置を例にして説明する。
【００２３】
図１は、本実施の形態による録画予約支援システムＡの一構成例を示す機能ブロック図である。録画予約支援システムＡは、録画機能付きテレビジョン受信装置１０と、予告映像提供装置１００と、を含んでいる。録画機能付きテレビジョン受信装置１０は、ＣＰＵ（Ｃｅｎｔｒａｌ  Ｐｒｏｃｅｓｓｉｎｇ  Ｕｎｉｔ）６、メモリ７、アンテナ１１・４０、アナログチューナー部１２、ＡＶスイッチ部１３、デジタルチューナー部１４、デジタル復調部１５、分離部（ＤＭＵＸ）１６，ビデオデコード／キャプチャー部１７、ビデオセレクタ部１８、映像処理部１９、加算部２０、表示制御部２１，液晶表示装置２２等を備えている。
【００２４】
さらに、ＩＰ放送チューナー部２３、ＥＰＧ／ＯＳＤ／予約処理部２４、オーディオデコード部２５、オーディオセレクタ部２６、音声出力変換部２７、スピーカ２８を有している。
【００２５】
選局部３３は、アナログ、デジタル、ＩＰ放送の選局を行う。さらに、電話回線・ＬＡＮ等の通信インタフェイスを構成する通信制御部３４、遠隔操作装置（リモートコントローラ）３６からのリモコン信号を受けるリモコン受光部３５、撮像素子（カメラ）３７、ＯＰＣセンサー、人感センサーなどを備える。また、外部入力としては、外部機器３０（ＨＤＤ、メモリ、ＢＤ／ＤＶＤ／ＣＤ）、ＢＤ／ＤＶＤ／ＣＤなどの光媒体を用いて記録／再生を行う記録再生部３２が設けられる。
【００２６】
また、録画機能付きテレビジョン受信装置１０は、大容量の記憶装置としてハードディスク装置（ＨＤＤ）９を備えており、取得した映像を録画・再生することができるように構成されている。尚、本実施の形態では、このように録画再生機能を備えたテレビジョン受信装置を例にして説明するが、一般的な録画再生装置であっても良い。
【００２７】
また、ＨＤＤ９には、録画番組記憶領域の他に、後述する推奨予告映像保存領域９ａが設けられている。
【００２８】
報知部４１は、推奨予告映像保存領域９ａに未視聴の推奨予告映像が保存されている場合に、その旨を報知する。報知の方法は装置に設けたＬＥＤランプの点灯などを用いることができるが、この方法に限定されるものではない。例えば遠隔操作装置３６にＬＥＤランプを設けて報知するようにしても良いし、テレビ画面に特定の表示等を行わせるものであっても良い。
【００２９】
デジタルチューナー部１４は、デジタル放送受信用アンテナ４０を介して受信するデジタルテレビ放送信号を選局するもので、選局部３３からの選局指示に応じて受信するチャンネルの選局を行う。デジタルチューナー部１４からの受信信号は、デジタル復調部１５にて復調され、分離部（ＤＭＵＸ）１６に送られる。
【００３０】
ＩＰ放送チューナー部２３は、電話回線・ＬＡＮ等に接続された通信制御部３４を介して受信するＩＰ放送を選局するもので、選局部３３からの選局指示に応じて受信する特定のＩＰ放送を選局し、出力を分離部（ＤＭＵＸ）１６に送る。
【００３１】
分離部１６は、デジタル復調部１５又はＩＰ放送チューナー部２３から入力されるデータにおいて多重化されている映像データおよび音声データを分離し、映像データを映像処理部１９に送るとともに、音声データを音声出力変換部２７に送る。さらに、分離部１６は、放送信号に含まれるＥＰＧデータ等のデータを抽出し、ＥＰＧ／ＯＳＤ／予約処理部２４に送る。なお、分離部１６によって抽出された放送波信号は、必要に応じてＣＰＵ６による書き込み制御によりメモリ７に記録される。
【００３２】
ビデオデコード／キャプチャ部１７は、分離部（ＤＭＵＸ）１６によって分離された映像データをデコードしたり、映像データに含まれるビデオ情報を静止画としてキャプチャしたりする。ビデオデコード／キャプチャ部１７によってデコードされた映像信号は、ビデオセレクタ部１８に送られる。ビデオセレクタ部１８には、既に説明したとおり、アナログチューナー部１２からの映像信号が入力されており、また、外部入力部３１からの映像信号も入力されている。ビデオセレクタ部１８は、ＣＰＵ６からの制御信号により、これらの入力映像信号から１つの映像信号を選んで出力し、映像処理部１９に送る。
【００３３】
映像処理部１９は、分離部１６によって分離された映像データをデコードし、デコードした映像データに対して、例えば、ノイズリダクションの処理、シャープネスの調整、コントラストの調整等の映像処理を行い、液晶表示装置２２に対して最適な映像信号となるように映像データを変換する。
【００３４】
表示制御部２１は、受信した映像データを液晶表示装置２２に表示させるための駆動回路を含む部分であり、ＥＰＧ／ＯＳＤ／予約処理部２４からの電子番組表データ、または、ＯＳＤデータを、加算部２０によって映像処理部１９からの映像データを加算し、これにより得られた映像データを液晶表示装置２２に送る。
【００３５】
液晶表示装置２２は、送られてきた映像データを液晶画面上に表示するものである。
【００３６】
ＥＰＧ／ＯＳＤ／予約処理部２４は、定期的に更新保存されたＥＰＧデータに基づき電子番組表を作成し、また、メモリ７に予め保存されているＯＳＤデータを描画する。ＯＳＤデータとは、例えば、予めメモリ７に記憶された設定メニュー画面、音量ケージ、現在時刻、選局チャンネル等の各種情報を描画するためのデータである。また、ＥＰＧ／ＯＳＤ／予約処理部２４は、電子番組表を利用して番組の予約処理等を行う。
【００３７】
オーディオセレクタ部２６では、ＡＶスイッチ部１３からの音声信号、外部入力部３１からの音声信号、及び、オーディオデコード部２５からの音声信号を受け、ＣＰＵ６からの制御によってビデオセレクタ部１８で選択された映像信号に対応した音声信号を選択し、音声出力変換部２７を介して音声信号をスピーカ２８に送る。音声出力変換部２７は、受信した音声信号をスピーカ２８での再生に最適な信号に変換してスピーカ２８に供給する。さらに、ＯＰＣ（ＲＧＢ）センサーや人感（熱）センサーを設けても良い。
【００３８】
リモコン受光部３５は、遠隔操作装置（リモートコントローラ）３６からの赤外線などの光信号を受信して、遠隔操作装置３６からの制御信号を受け付けるためのものである。視聴者からの各種操作・指示は、この遠隔操作装置３６を介して行われる。
【００３９】
通信制御部３４は、電話回線、ＬＡＮ、インターネット等のネットワーク網を介して通信を確立させるように制御を行う。図１では、インターネットＮＴを介して、予告映像提供装置１００に接続されている。
【００４０】
カメラ３７は、視聴者を撮影するために用いることができ、例えば、ＣＣＤやＣＭＯＳを撮像素子として有する公知のデジタルカメラを用いることができる、カメラ３７は、撮影した画像データをＣＰＵ６に送る。尚、上記各機能部は、基本的には、バス８を介して接続されている。
【００４１】
以上の説明では、特に、録画機能を備えたテレビジョン受信装置を例にして説明しているが、その他にも、テレビを視聴可能とした携帯機器、例えば、携帯電話、カーナビゲーションシステム、携帯ゲーム端末機等においてテレビを受信する場合にも本願の発明に従った表示方法を適用できることは明らかである。
【００４２】
図２は、本実施の形態による録画予約支援装置６ａの一構成例を示す機能ブロック図であり、図１内にハードウェアとして設けても良いが、一般的には、メモリ７内に格納されるプログラムをＣＰＵ６により実行することで機能させる（図１の符号６ａ）。図３は、図１に示した予告映像提供装置１００の一構成例を示す図である。図３に示すように、予告映像提供装置１００は、番組等の予告編に相当するような予告映像を格納する予告映像保存部１０３と、予告映像保存部１０３に保存されている予告映像を録画機能付きテレビ１０に提供する予告映像提供部１０５と、を有している。ここで、予告映像提供装置１００は、テレビ各局のホームページのように各局で管理運営されていても良いし、テレビ局とは直接関係ない第３者機関が管理運営するようにされていても良い。
【００４３】
録画予約支援装置６ａは、予告映像提供装置１００内の予告映像保存部１０３から、推奨番組の予告映像を検索する推奨予告映像検索部５１を備えている。推奨予告映像検索部５１は、ユーザに推奨する推奨番組の予告映像、すなわち、推奨予告映像を提供してもらうために、放送波に含まれるメタデータ、電子番組表に含まれる番組案内等から、ユーザが視聴している番組や録画予約している番組のキーワードをピックアップし、これをユーザが嗜好する番組に関係するキーワードとして随時更新していく。キーワードの更新の仕方は、視聴頻度の高さや、視聴日時が新しさ等で重み付けを行うようにしても良い。また、キーワードはユーザが遠隔操作装置３６などから入力することにより明示的に設定するようにしても良い。そして、予告映像保存部１０３に保存されている予告映像のうち、キーワードに合致する推奨予告映像が検索され、予告映像提供部１０５を介して、推奨予告映像取得部５３が取得する。そして、推奨予告映像保存指示部５４が、推奨予告映像取得部５３が取得した推奨予告映像を、対応する番組の放送時間帯、放送局の情報とともに、推奨予告映像保存領域９ａに保存する指示をする。予告映像提供装置１００からの推奨予告映像はネットワークを介して録画予約支援装置６ａの推奨予告映像取得部５３に出力される。より詳細には、推奨予告映像は、図１の通信制御部３４を介して、図２に示される録画予約支援装置６ａの推奨予告映像取得部５３に送られる。
【００４４】
図５（ａ）は、予告映像保存部１０３に保存されている情報の一例を示す図である。図５（ａ）に示すように、予告映像保存部１０３には、例えば、予告映像１から４までが保存されているとする。予告映像１はキーワード“Ａ”により、予告映像２はキーワード“Ｂ”により、予告映像３はキーワード“Ａ”により、予告映像４もキーワード“Ａ”により、特定される予告映像であるとする。その他、それぞれの予告映像に対応する番組の放送時間の情報と放送局の情報とが保存されている。キーワードが“Ａ”であれば、推奨予告映像は、予告映像１、３、４であり、キーワードが“Ｂ”であれば、推奨予告映像は、予告映像２である。すなわち、録画予約支援装置６ａの推奨予告映像検索部５１がキーワードＡで検索すると、推奨予告映像取得部５３により予告映像１、３、４が取得され、推奨予告映像保存部９ａにこれらの推奨予告映像が保存されることになる。録画予約支援装置６ａの推奨予告映像検索部５１がキーワードＢで検索すると、推奨予告映像取得部５３により予告映像２が取得され、推奨予行映像保存部９ａにその推奨予告映像が保存されることになる。図５（ｂ）は、キーワードＡの場合の推奨予告映像保存領域９ａに保存されている推奨予告映像と放送時間帯と放送局とを示す図である。尚、図５（ａ）、（ｂ）では、放送局と放送時間とを示しているが、実際には、放送年月日の情報を含んでいる。また、放送局は、アナログ、地デジ、ＢＳ、ＣＳなどを含んでおり、これらの情報も放送時間帯−放送局情報に含まれているが、説明の簡略化のために、放送時間−放送局情報として示している。以下の説明においても同様である。
【００４５】
録画機能付きテレビジョン受信装置１０は、前述のように一般的な電子番組表の受信機能を持ち、定期的に番組表データを更新すると共に、定期的にネットワーク経由で予約映像提供装置１００にアクセスし、電子番組表に掲載されている番組の中からユーザが嗜好するキーワードにマッチした番組の推奨予告映像を予告映像提供装置から取得し、放送時間帯と放送局とを介して電子番組表に関連付けさせて保存しておく。尚、電子番組表との関連付けは、番組のＩＤなど種々の方法で行うことができる。
【００４６】
図６は、電子番組表の一例であり、図５（ｂ）に対応する時間帯と放送局における電子番組表の一部を示す図である。予告映像１、３、４までに対応する番組の放送時間と放送局とによって画定されている番組セル１２１、１２３、１２５が示されている。実際には、推奨予告映像は、電子番組表と関連付けされており、より詳細には、電子番組表の番組セルに表示されている番組の放送局と放送時間帯とに関連付けされている。すなわち、年月日が決まっていれば、図５（ｂ）に示す推奨予告映像に対応する番組の放送時間帯と放送局により、電子番組表の各番組セルを決めることができ、図５（ａ）の推奨予告映像と図６の電子番組表の番組セルとが関連付けされている。そして、例えば、放送予告映像に対する操作は、関連付けされている電子番組表の番組セルを選択した場合の、操作と同じ操作になるように構成されている。すなわち、推奨予告映像が表示されている場合に、予約録画のための操作を行うと、それは、電子番組表の推奨予告映像に対応する番組に対する電子番組表からの予約録画の操作と同じ操作になるように構成されている。
【００４７】
推奨予告映像報知指示部５５は、推奨予告映像取得部５３が取得し、推奨予告映像保存指示部５４の指示により予告映像保存領域９ａに保存されている未視聴の推奨予告映像が１以上存在すると、報知部４１において、例えばＬＥＤランプを点灯させるなどにより未視聴の予告番組が１以上存在することを報知するように指示する。これにより、ユーザは、新規の（未視聴の）推奨予告映像が提供されていることを知ることができる。
【００４８】
放送時間経過判定部５７は、推奨予告映像保存領域９ａに保存されている未視聴の予告映像に関して、図５（ｂ）の情報と現在時刻を報知する図示しないタイマ（時計）とに基づいて、推奨予告映像に対応する実際の番組の放送時間が経過しているか否かを判定する。現在時刻が放送時間帯内にある場合には、番組の一部でも録画したい場合を考慮して放送時間は経過していないと判定することができる。
【００４９】
推奨予告映像表示操作検出部５９が、リモコン装置などからのユーザからの推奨予告映像表示指示を検出すると、推奨予告映像表示指示部６０が推奨予告映像を連続的に表示する指示を行う。上記のように、このような指示は、電子番組表を表示させた状態において、ある番組の予約録画を行うための操作、例えば、その番組セルにフォーカスを当てた状態において、ｅｎｔｅｒボタンを押し、予約画面がでたら予約確定操作を行うなどの操作である。尚、例えば、リモコンの推奨予告映像表示指示を行わせる専用ボタンなどによる操作を行うようにしても良い。
【００５０】
番組録画予約操作検出部６１は、ユーザが推奨予告映像の表示を見ている間に、遠隔操作装置などにより、見ている推奨予告映像に対応する番組の録画を予約する旨の操作があったことを検出する。すると、上記のように、番組録画予約指示部６３が、番組録画予約操作検出部６１により検出された際に見ていた推奨予告映像に関連付けされた電子番組表の番組について、録画予約を行う旨の指示を行う。これにより、実際に、推奨番組を予約録画することができる。予約録画された番組は、ＨＤＤ９内に保存される。推奨予告番組−録画番組関連付け部６５は、予約録画した番組と、その番組と対応する推奨予告映像とを関連付けする処理を行う。
【００５１】
図４は、本実施の形態による予約録画支援処理の流れを示すフローチャート図である。図８は、報知部４１を備えた液晶表示装置２２における表示の遷移の様子を示す図である。その他の図面も参照しながら説明を行う。
【００５２】
まず、ステップＳ１において処理が開始され（ＳＴＡＲＴ）、推奨予告映像検索部５１によりキーワード検索された推奨予告映像を推奨予告映像取得部５３が取得する（ステップＳ２）。ステップＳ３において、ステップＳ２で取得した推奨予告映像を推奨予行映像保存指示部５４の指示により、ハードディスク（ＨＤＤ）に保存する。ステップＳ４において、新規の推奨予告映像がある旨を報知部４１により報知する。例えば、図８に示す液晶表示装置２２の枠２２ａにＬＥＤランプにより構成される報知部４１が設けられ、ＬＥＤランプの点灯により報知が行われる（図８（ａ））。次いで、ステップＳ５で、推奨予告映像に対応する番組の放送時間が経過しているか否かを判定する。放送時間を経過していれば（ＹＥＳ）、ステップＳ６に進み、推奨予告映像をＨＤＤ９から消去する。放送時間が経過していない場合に（ＮＯ）、推奨予告映像の表示指示があるまで待ち（ステップＳ７でＹＥＳ）、表示指示があると、ステップＳ８で、推奨予告映像が複数ある場合には、順番に連続表示させる。
【００５３】
ステップＳ９に示すように、推奨予告番組の表示中に推奨予告映像に対応する推奨番組の予約録画をするための推奨番組録画予約操作があるまで待ち、その操作が有ると（ＹＥＳ）、ステップＳ１０に進み、推奨番組の録画予約が行われる。その結果、ステップＳ１１において、番組の放送時間帯において録画予約された推奨番組が実際に録画されＨＤＤ９内に保存される。ステップＳ１２で、推奨予告映像と録画済みの推奨番組とが関連付けされ、処理が終了する（ステップＳ１３：ＥＮＤ）。この場合には、推奨予告番組と電子番組表との関連付けは解消するのが好ましい。予約録画された番組がＨＤＤに格納されると、推奨予告映像と録画済みの推奨番組とを１対１で関連付けすることで、推奨予告映像を見ながら、例えば遠隔操作装置のｅｎｔｅｒボタンを押す等の操作を行うことにより、推奨予告映像と１対１で関連付けされている録画済み推奨番組を再生するかどうかを決めることができる。
【００５４】
尚、推奨予告映像の表示中に推奨予告映像に対応する推奨番組を録画予約するための指示の操作がなかった場合には、その推奨予告番組を消去するようにしても良い。
【００５５】
ステップＳ５からステップＳ１０までの処理について、図８を参照して説明する。ユーザが所定のボタン等を操作し、推奨予告映像表示指示部６０が、推奨予告映像を表示する指示を出すと、録画装置は保存しておいた推奨予告映像を順番に表示していく。表示する順番は、例えば、放送日時が近いものから先に、或いは、キーワードの重み付けが高いものから先になどの順番である。
【００５６】
ユーザが、その後に何の操作もしない場合（図８（ｂ）で時間ｔ１が経過）、保存されている推奨予告映像が所定の順番で次々と表示されていく。また、ユーザが推奨予告映像の途中で興味がないと判断した場合、例えば遠隔操作装置のスキップボタンを押すことにより次の推奨予告映像にスキップすることができる。
【００５７】
ユーザが推奨予告映像を見て録画予約をしたいと判断した場合には、推奨予告映像は電子番組表に関連付けられているため、例えば推奨予告映像の表示中に録画予約ボタンを押すことにより、現在表示中の推奨予告映像に対応する推奨番組の録画予約を実行することができる（図８（ｃ）、（ｄ））。
【００５８】
予約ボタンが押された推奨予告映像は、そのままＨＤＤ９内に保存され、その番組が録画された後は、当該推奨予告映像は、電子番組表ではなく録画した番組に関連付けられる。
【００５９】
録画した番組に関連付けられた推奨予告映像は、ユーザの指示に従い連続的に表示される。表示される推奨予告映像は、図７に示すように、番組を未視聴か既視聴かのフラグをもたせ、再生したい番組を選択するために未視聴の番組の推奨予告映像のみを表示したり、録画番組を消去するために、既に見た番組の推奨予告映像のみを表示したりすることができる。
【００６０】
以上に説明したように、本実施の形態による番組予約支援技術によれば、番組を録画予約する場合に、ユーザは積極的にリモコンを操作しなくても録画したい番組を探すことができるため、何か別の作業をしながら、或いは、疲れた時にリモコン等を積極的に操作せず、受身の状態で録画予約を実行することができる。具体的には、推奨予告映像を表示させるためのボタン、表示をスキップさせるスキップボタン、番組予約録画ボタンがあれば良い。
【００６１】
また、録画されている番組の推奨予告映像が保存されているため、録画予約時と同様に受身の状態で、推奨予告映像を見ながら、再生したい録画済み番組を探したり、消去したい番組を探したりすることができる。
【００６２】
尚、本実施の形態においては、推奨予告映像保存部９ａを、録画機能付きテレビ側に設ける構成で説明しているが、推奨予告映像保存部９ａを、録画予約支援装置６ａ内に設けても良い。この際、録画予約支援装置を、リモコン装置内又は別途、携帯端末などに設けておき、有線又は無線により、録画機能付きテレビとの間でやり取りを行うようにしても良い。
【００６３】
また、本発明は、録画予約支援装置と、推奨予告映像保存部と、を備えた録画再生装置であっても良く、当該害録画再生装置と、予告映像提供装置と、を備えた録画予約支援システム、或いは、録画予約支援装置と、推奨予告映像保存部と、少なくとも録画機能又は再生機能のいずれかを備えたテレビジョン受信装置であっても良い。
【００６４】
（プログラム及び記録媒体）
最後に、録画機能付きテレビ受像機１０に含まれている各部は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００６５】
すなわち、録画機能付きテレビ受像機１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、及び、上記プログラム及び各種データを格納するメモリ等の記憶装置（記録媒体）を備えている。この構成により、本発明の目的は、所定の記録媒体によっても、達成できる。
【００６６】
この記録媒体は、上述した機能を実現するソフトウェアであるテレビ受像機１０のプログラムのプログラムコード（実行形式プログラム、中間コードプログラム、ソースプログラム）をコンピュータで読み取り可能に記録していればよい。テレビ受像機１０に、この記録媒体を供給する。これにより、コンピュータとしてのテレビ受像機１０（またはＣＰＵやＭＰＵ）が、供給された記録媒体に記録されているプログラムコードを読み出し、実行すればよい。
【００６７】
プログラムコードを録画機能付きテレビ受像機１０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００６８】
また、録画機能付きテレビ受像機１０を通信ネットワークと接続可能に構成しても、本発明の目的を達成できる。この場合、上記のプログラムコードを、通信ネットワークを介してテレビ受像機１０に供給する。この通信ネットワークはテレビ受像機１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００６９】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【００７０】
本発明は、録画装置に利用可能である。
【符号の説明】
【００７１】
６…ＣＰＵ、６ａ…録画予約支援装置、７…メモリ、９…ＨＤＤ、９ａ…推奨予告映像保存部、１０…録画機能付きテレビジョン受信装置、２２…液晶表示装置、３６…遠隔操作装置（リモコン）、４１…報知部、５１…推奨予告映像検索部、５３…推奨予告映像取得部、５５…推奨予告映像報知指示部、５７…放送時間経過判定部、５９…推奨予告映像表示操作検出部、６０…推奨予告映像表示指示部、６１…番組録画予約操作検出部、６３…番組録画予約指示部、６５…推奨予告映像−録画番組組関連付け部、１００…予告映像提供装置。
【図１】
2012080258.tif 000003
【図２】
2012080258.tif 000004
【図３】
2012080258.tif 000005
【図４】
2012080258.tif 000006
【図５】
2012080258.tif 000007
【図６】
2012080258.tif 000008
【図７】
2012080258.tif 000009
【図８】
2012080258.tif 000010